【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】  駆動手段と、この駆動手段により光軸に略垂直な面内で有効光線内に出し入れ可能なＮＤフィルターとを有するＮＤフィルター駆動装置において、
前記ＮＤフィルターは、複数の異なる透過率の領域を有し、有効光線外から有効光線内へ入る際に、透過率の高い領域が最初に有効光線内に入ることを特徴とするＮＤフィルター駆動装置。
【請求項２】  前記ＮＤフィルターのうち透過率の高い第１のＮＤフィルター領域の面積は、前記第１のＮＤフィルター領域よりも透過率の低い第２のＮＤフィルター領域の面積よりも大きいことを特徴とする請求項１に記載のＮＤフィルター駆動装置。
【請求項３】  前記有効光線の内外に対する前記ＮＤフィルターの位置を検出する位置検出手段を有することを特徴とする請求項１または２に記載のＮＤフィルター駆動装置。
【請求項４】  第１の駆動手段により複数の光量調節部材を駆動して開口径を可変とする光量調節機構と、第２の駆動手段により光軸に略垂直な面内で有効光線内に出し入れ可能なＮＤフィルターを有する光量調節装置において、
前記ＮＤフィルターは、複数の異なる透過率の領域を有し、有効光線外から有効光線内へ入る際に、透過率の高い領域が最初に有効光線内に入ることを特徴とする光量調節装置。
【請求項５】  前記ＮＤフィルターのうち透過率の高い第１のＮＤフィルター領域の面積は、前記第１のＮＤフィルター領域よりも透過率の低い第２のＮＤフィルター領域の面積よりも大きいことを特徴とする請求項４に記載の光量調節装置。
【請求項６】  前記光量調節部材による光量調節状態を検出する光量調節状態検出手段を有することを特徴とする請求項４または５に記載の光量調節装置。
【請求項７】  前記有効光線の内外に対する前記ＮＤフィルターの位置を検出する位置検出手段を有することを特徴とする請求項４または５に記載の光量調節装置。
【請求項８】  前記光量調節部材による光量調節状態を検出する光量調節状態検出手段の検出情報と、前記有効光線の内外に対する前記ＮＤフィルターの位置を検出する位置検出手段の検出情報とに基づいて、前記第１の駆動手段と前記第２の駆動手段とを駆動制御する制御手段を有することを特徴とする請求項４または５に記載の光量調節装置。
【請求項９】  請求項８に記載の光量調節装置を有し、前記光量調節装置における前記光量調節機構と前記ＮＤフィルターとを撮像光学系に配置したことを特徴とする撮像装置。
【請求項１０】  前記制御手段は、前記光量調節部材による開口径の小径側への変化を阻止した状態において、前記第２の駆動手段を駆動して、前記ＮＤフィルターを前記有効光線内に進入させることを特徴とする請求項９に記載の撮像装置。
【請求項１１】  前記制御手段は、前記光量調節部材による開口径を小径側に変化させても適正露出が得られない場合に、前記第２の駆動手段を駆動して、前記ＮＤフィルターを前記有効光線内に進入させることを特徴とする請求項９に記載の撮像装置。
【請求項１２】  前記制御手段は、前記第１及び第２の駆動手段の駆動制御により、前記光量調節部材を駆動しながら前記ＮＤフィルターを駆動することを特徴とする請求項９に記載の撮像装置。
【請求項１３】  前記制御手段は、前記第１及び第２の駆動手段の駆動制御により、前記光量調節部材による開口径が小径側に変化するように前記光量調節部材を駆動しながら、前記ＮＤフィルターを前記有効光線側に移動させることを特徴とする請求項１３に記載の撮像装置。
【請求項１４】  前記制御手段は、
前記光量調節状態検出手段により検出される光量調節状態が、開放もしくは第１の開口径から該第１の開口径より小径の第２の開口径にある間では、前記第１のＮＤフィルター領域が前記光量調節部材によって形成される開口を覆うように前記ＮＤフィルターを駆動し、
前記光量調節状態検出手段により検出される光量調節状態が、前記第２の開口径よりも小径側に変化した場合には、前記ＮＤフィルターを更に駆動して、前記光量調節部材によって形成される開口を前記第２のＮＤフィルター領域で覆うことを特徴とする請求項９に記載の撮像装置。
【手続補正２】
【補正対象書類名】明細書
【補正対象項目名】００４８
【補正方法】変更
【補正の内容】
【００４８】
【課題を解決するための手段】本出願に係る発明の目的を実現するＮＤフィルター駆動装置の第１の構成は、駆動手段と、この駆動手段により光軸に略垂直な面内で有効光線内に出し入れ可能なＮＤフィルターとを有するＮＤフィルター駆動装置において、前記ＮＤフィルターは、複数の異なる透過率の領域を有し、有効光線外から有効光線内へ入る際に、透過率の高い領域が最初に有効光線内に入るものである。
【手続補正３】
【補正対象書類名】明細書
【補正対象項目名】００４９
【補正方法】変更
【補正の内容】
【００４９】
本出願に係る発明の目的を実現するＮＤフィルター駆動装置の第２の構成は、上記第１の構成において、ＮＤフィルターのうち透過率の高い第１のＮＤフィルター領域の面積を、第１のＮＤフィルター領域よりも透過率の低い第２のＮＤフィルター領域の面積よりも大きくしたものである。
【手続補正４】
【補正対象書類名】明細書
【補正対象項目名】００５０
【補正方法】変更
【補正の内容】
【００５０】
本出願に係る発明の目的を実現するＮＤフィルター駆動装置の第３の構成は、上記した第１または第２の構成において、前記有効光線の内外に対する前記ＮＤフィルターの位置を検出する位置検出手段を有するものである。
【手続補正５】
【補正対象書類名】明細書
【補正対象項目名】００５１
【補正方法】変更
【補正の内容】
【００５１】
本出願に係る発明の目的を実現する光量調節装置の第１の構成は、第１の駆動手段により複数の光量調節部材を駆動して開口径を可変とする光量調節機構と、第２の駆動手段により光軸に略垂直な面内で有効光線内に出し入れ可能なＮＤフィルターを有する光量調節装置において、前記ＮＤフィルターは、複数の異なる透過率の領域を有し、有効光線外から有効光線内へ入る際に、透過率の高い領域が最初に有効光線内に入るものである。
【手続補正６】
【補正対象書類名】明細書
【補正対象項目名】００５２
【補正方法】変更
【補正の内容】
【００５２】
本出願に係る発明の目的を実現する光量調節装置の第２の構成は、上記第１の構成において、ＮＤフィルターのうち透過率の高い第１のＮＤフィルター領域の面積を、前記第１のＮＤフィルター領域よりも透過率の低い第２のＮＤフィルター領域の面積よりも大きくしたものである。
【手続補正７】
【補正対象書類名】明細書
【補正対象項目名】００５４
【補正方法】変更
【補正の内容】
【００５４】
本出願に係る発明の目的を実現する光量調節装置の第４の構成は、上記した光量調節装置の第１または第２の構成において、前記有効光線の内外に対する前記ＮＤフィルターの位置を検出する位置検出手段を有するものである。
【手続補正８】
【補正対象書類名】明細書
【補正対象項目名】００５５
【補正方法】変更
【補正の内容】
【００５５】
本出願に係る発明の目的を実現する光量調節装置の第５の構成は、上記した光量調節装置の第１または第２の構成において、前記光量調節部材による光量調節状態を検出する光量調節状態検出手段の検出情報と、前記有効光線の内外に対する前記ＮＤフィルターの位置を検出する位置検出手段の検出情報とに基づいて、前記第１の駆動手段と前記第２の駆動手段とを駆動制御する制御手段を有するものである。
【手続補正９】
【補正対象書類名】明細書
【補正対象項目名】００５７
【補正方法】変更
【補正の内容】
【００５７】
本出願に係る発明の目的を実現する撮像装置の第２の構成は、上記した撮像装置の第１の構成において、前記制御手段は、前記光量調節部材による開口径の小径側への変化を阻止した状態において、前記第２の駆動手段を駆動して、前記ＮＤフィルターを前記有効光線内に進入させるものである。
【手続補正１０】
【補正対象書類名】明細書
【補正対象項目名】００５８
【補正方法】変更
【補正の内容】
【００５８】
本出願に係る発明の目的を実現する撮像装置の第３の構成は、上記した撮像装置の第１の構成において、前記制御手段は、前記光量調節部材による開口径を小径側に変化させても適正露出が得られない場合に、前記第２の駆動手段を駆動して、前記ＮＤフィルターを前記有効光線内に進入させるものである。
【手続補正１１】
【補正対象書類名】明細書
【補正対象項目名】００５９
【補正方法】削除
【補正の内容】
【手続補正１２】
【補正対象書類名】明細書
【補正対象項目名】００６０
【補正方法】変更
【補正の内容】
【００６０】
本出願に係る発明の目的を実現する撮像装置の第４の構成は、上記した撮像装置の第１の構成において、前記制御手段は、前記第１及び第２の駆動手段の駆動制御により、前記光量調節部材を駆動しながら前記ＮＤフィルターを駆動するものである。
【手続補正１３】
【補正対象書類名】明細書
【補正対象項目名】００６１
【補正方法】変更
【補正の内容】
【００６１】
本出願に係る発明の目的を実現する撮像装置の第５の構成は、上記した撮像装置の第５の構成において、前記制御手段は、前記第１及び第２の駆動手段の駆動制御により、前記光量調節部材による開口径が小径側に変化するように前記光量調節部材を駆動しながら、前記ＮＤフィルターを前記有効光線側に移動させるものである。
【手続補正１４】
【補正対象書類名】明細書
【補正対象項目名】００６２
【補正方法】変更
【補正の内容】
【００６２】
本出願に係る発明の目的を実現する撮像装置の第６の構成は、上記した撮像装置の第１の構成において、前記制御手段は、前記光量調節状態検出手段により検出される光量調節状態が、開放もしくは第１の開口径から該第１の開口径より小径の第２の開口径にある間では、前記第１のＮＤフィルター領域が前記光量調節部材によって形成される開口を覆うように前記ＮＤフィルターを駆動し、前記光量調節状態検出手段により検出される光量調節状態が、前記第２の開口径よりも小径側に変化した場合には、前記ＮＤフィルターを更に駆動して、前記光量調節部材によって形成される開口を前記第２のＮＤフィルター領域で覆うものである。